(57)【要約】【課題】照明装置が客の視界に入るのを防ぎつつ、高い照明効果を得る。【解決手段】照明装置６０Ａの照明装置本体６１の一部が、フード部５８に形成された折り返し部５９によって鉛直下方が覆われるよう設けた。さらに、折り返し部５９は、端部壁５８ｂの下端部から背面壁側の斜め上方に向けて折り返して形成し、キャノピー部５０の前縁部に沿った方向に、複数のスリット６４を所定間隔を空けて配列した。また、照明装置本体６１の一部からの光は、下方の棚板上の商品に直接照射されるようにした。【選択図】図２
2014000206.tif 000002
【特許請求の範囲】
【請求項１】
床面上に設置される基部と、
前記基部から上方に立ち上がる背面壁と
前記背面壁の前面に支持され、一段以上設けられた棚板と、
前記背面壁の上端部から前方に延び、前記棚板の上方を覆うキャノピー部と、
前記キャノピー部の前縁部に設けられ、前記棚板に向けて光を照らす照明部と、を備え、
前記照明部は、前記キャノピー部の前記前縁部に沿って設けられた照明装置本体と、
前記キャノピー部の前記前縁部において、前記照明装置本体の下方に形成され、前記照明装置本体の少なくとも一部の鉛直下方を覆うカバー部と、
前記カバー部に形成され、前記キャノピー部の前記前縁部に沿って形成された開口部と、を備えることを特徴とするショーケース。
【請求項２】
前記照明装置本体は、その一部のみの鉛直下方が前記カバー部に覆われ、
前記照明装置本体で発する光の一部が前記開口部を通して前記棚板に向けて照射され、前記照明装置本体の残部で発する光が、前記棚板に向けて直接照射されることを特徴とする請求項１に記載のショーケース。
【請求項３】
前記キャノピー部は、該キャノピー部の天面から、前方に向けて漸次下降し、下端部が前記照明装置本体より下方に位置するフロントカバー部と、
前記フロントカバー部の下端部から、後方の前記背面壁側に向けて延びるよう形成されたツバ部と、を有し、
前記開口部は、前記ツバ部に形成されていることを特徴とする請求項１または２に記載のショーケース。
【請求項４】
前記ツバ部は、前記フロントカバー部の下端部から、後方の前記背面壁側に向けて漸次高くなるよう形成されていることを特徴とする請求項３に記載のショーケース。
【発明の詳細な説明】
【技術分野】
【０００１】
本発明は、コンビニエンスストア、スーパーマーケット、商店等の店舗において、デザート菓子や生鮮食品等を陳列する、開架式のショーケースに関する。
【背景技術】
【０００２】
コンビニエンスストア、スーパーマーケット、商店等の店舗において、デザート菓子や生鮮食品等を陳列するにあたり、冷蔵機能を備えたショーケースが多用されている。
このようなショーケースには、扉を備えない開架式のショーケースがある。
【０００３】
特許文献１〜３に開示されているように、開架式のショーケースは、複数段の棚板を有し、各段の棚板に対しては、上段の棚板の前端部の下面に設けた照明装置により、棚板上の商品に光を当てている。
ここで、最上段の棚板は、その上方に設けられたキャノピー（屋根材）の前端部の下面に設けられた照明装置により、棚板上の商品に光を当てている。
【先行技術文献】
【特許文献】
【０００４】
【特許文献１】特開平１１−１５９９３７号公報
【特許文献２】特開２００８−２７９１５１号公報
【特許文献３】特開２００５−３２５４号公報
【発明の概要】
【発明が解決しようとする課題】
【０００５】
しかしながら、キャノピーの前端部に下面に設けられた照明装置自体が、客の視界に入るのは好ましくない。装置類が目に入ると、店舗の雰囲気を損なったり、本来、棚板上の商品に光を当てて、客の商品購買意欲を高めようという、照明効果が損なわれるからである。  
そこでなされた本発明の目的は、照明装置が客の視界に入るのを防ぎつつ、高い照明効果を得ることのできるショーケースを提供することである。
【課題を解決するための手段】
【０００６】
本発明は、上記課題を解決するため、以下の手段を採用する。
すなわち、本発明のショーケースは、床面上に設置される基部と、基部から上方に立ち上がる背面壁と、背面壁の前面に支持され、一段以上設けられた棚板と、背面壁の上端部から前方に延び、棚板の上方を覆うキャノピー部と、キャノピー部の前縁部に設けられ、棚板に向けて光を照らす照明部と、を備え、照明部は、キャノピー部の前縁部に沿って連続する線状の照明装置本体と、キャノピー部の前縁部において、照明装置本体の下方に形成され、照明装置本体の少なくとも一部の鉛直下方を覆うカバー部と、カバー部に形成され、キャノピー部の前縁部に沿って形成された開口部と、を備えることを特徴とする。
このような構成によれば、照明装置本体の少なくとも一部の鉛直下方がカバー部に覆われることで、照明装置本体で発する光は、カバー部に形成された開口部を通して棚板に向けて照射される。これにより、棚板以外に向けて光が不用意に拡散するのを防ぐことができる。
【０００７】
また、照明装置本体は、その一部のみの鉛直下方がカバー部に覆われ、照明装置本体で発する光の一部が開口部を通して棚板に向けて照射され、照明装置本体の残部で発する光が、棚板に向けて直接照射されることを特徴とすることができる。
これにより、開口部を通した光だけでなく、照明装置本体からの光を直接棚板に向けて照射することで、棚板上の商品を、より効果的に照明することができる。
【０００８】
また、キャノピー部は、いかなる形状としても良いが、例えば、キャノピー部の天面から、前方に向けて漸次下降し、下端部が照明装置本体より下方に位置するフロントカバー部と、フロントカバー部の下端部から、後方の背面壁側に向けて延びるよう形成されたツバ部と、を有し、開口部は、ツバ部に形成されていることを特徴とすることができる。
ここで、ツバ部は、フロントカバー部の下端部から、後方の背面壁側に向けて漸次高くなるよう形成するのが好ましい。
【発明の効果】
【０００９】
本発明によれば、照明装置本体の少なくとも一部の鉛直下方がカバー部に覆われることで、棚板以外に向けて光が不用意に拡散するのを防ぐことができ、照明装置本体が客から視認しにくくなる。これにより、店舗の雰囲気を損なうこともなく、棚板上の商品に光を確実に当てて、客の商品購買意欲を高めるという照明効果を高めることができる。
【００１０】
また、照明装置本体からの光を、開口部を通して照射するだけでなく、直接棚板に向けて照射することで、棚板上の商品を、より効果的に照明することができる。
【図面の簡単な説明】
【００１１】
【図１】本発明に係るショーケースの実施形態を示す断面図である。
【図２】ショーケースの照明部を示す拡大断面図である。
【図３】折り返し部に形成したスリットを示す図である。
【図４】第二の実施形態に係るショーケースの照明部を示す拡大断面図である。
【図５】第三の実施形態に係るショーケースの照明部を示す拡大断面図である。
【発明を実施するための形態】
【００１２】
以下、添付図面を参照して、本発明のショーケースを実施するための最良の形態を説明する。しかし、本発明はこれらの実施例のみに限定されるものではない。
【００１３】
（第１の実施形態）
図１は、本実施形態にかかるショーケース１０の全体構成を示す図である。
この図１に示すように、ショーケース１０は、床面上に設置される基台（基部）２０と、基台２０の上面から上方に立ち上がる背面壁３０と、背面壁３０に上下に一段以上（本実施形態では例えば４段）設けられた棚板４０，４０，…と、背面壁３０の上端部に設けられ、複数段の棚板４０の上方を覆うように設けられたキャノピー部５０と、を有している。
ショーケース１０は、図１の紙面に直交する方向を幅方向とし、これらの基台２０、背面壁３０、棚板４０、キャノピー部５０は、それぞれ、図１の紙面に直交する方向に一定長が連続するよう形成されている。また、基台２０上には、背面壁３０、棚板４０、キャノピー部５０の幅方向の端部に、サイド壁部１１を設けることもできる。
本実施形態におけるショーケース１０は、背面壁３０の一方の側と他方の側とに、それぞれ複数段の棚板４０を備えるものとしたが、背面壁３０の一方の側のみに棚板４０を備える構成としても良い。
また、本実施形態においては、各棚板４０において、背面壁３０側となる側を後方、その反対側、つまりショーケース１０に対面して客が位置する側を前方として説明を行う。
【００１４】
基台２０内には、冷媒を冷却する冷凍機２１と、冷凍機２１で冷却された冷媒により周囲雰囲気と熱交換する冷却コイル２２と、が備えられている。
【００１５】
基台２０には、略水平面内に位置するよう設けられたベース板２３が設けられている。ベース板２３の外周部には、上方に立ち上がる側壁部２４が一体に形成されている。
【００１６】
ベース板２３の上方には、略水平面内に位置する隔壁２５が設けられており、これによって、ベース板２３と隔壁２５との間には、空間２６が形成されている。この空間２６内には、前記の冷却コイル２２が収容されている。隔壁２５において、側壁部２４に近い側である前方の端部２５ａと、側壁部２４との間には空隙が設けられており、この空隙が、空間２６に連通する開口部２７とされている。また、ベース板２３上において、背面壁３０の鉛直下方には、上方に立ち上がる立ち上がり壁２８が設けられている。隔壁２５において、立ち上がり壁２８に近い側である後方の端部２５ｂと立ち上がり壁２８との間には空隙が設けられており、この空隙が、空間２６に連通する開口部２９とされている。
【００１７】
冷却コイル２２は、開口部２７から空気を空間２６内に吸込み、開口部２９から送り出すためのファン２２ｆを備えている。
【００１８】
背面壁３０は、二枚一対の壁板３１，３１が互いに水平方向に所定間隔を空けて配置された構成を有している。
各壁板３１は、隔壁２５において、後方の端部２５ｂ上に支持されており、これによって、これら二枚一対の壁板３１，３１間に形成された空間３２は、開口部２９，２９を通じて空間２６に連通している。
また、壁板３１には、上下方向に等間隔で複数段の棚板係止孔３３が形成されている。
【００１９】
各棚板４０は、背面壁３０から前方に向けて延びるよう設けられ、壁板３１に沿う鉛直部４１ａと鉛直部４１ａの上端部から前方の水平方向に延びる水平部４１ｂとを有した略Ｌ字状の支持ブラケット４１と、支持ブラケット４１の水平部４１ｂ上に設けられた平板状の棚板本体４２と、を有している。
支持ブラケット４１の鉛直部４１ａには、上下方向に所定間隔を空けて二つの係止爪４３，４３が形成されている。これらの係止爪４３，４３を、背面壁３０の棚板係止孔３３，３３に係止させることによって、棚板４０が壁板３１に固定されている。
【００２０】
キャノピー部５０は、壁板３１，３１の上端部から、水平方向に延びる下部プレート５１と、下部プレート５１の上方に所定間隔を空けて配置された断熱材からなる上部プレート５２と、上部プレート５２上に設けられた天板５３と、を有している。
下部プレート５１と上部プレート５２との間の空間５４は、背面壁３０の壁板３１，３１間の空間３２に連通するよう形成されている。
【００２１】
図１、図２に示すように、上部プレート５２の前縁部には、前方に延出するブラケット５２ａが、下部プレート５１の先端部５１ａよりも前方に張り出すよう形成されている。そして、上部プレート５２のブラケット５２ａには、下方に向けて延びる垂下壁５５が形成され、垂下壁５５と下部プレート５１の先端部５１ａとの間の空隙には、多数の孔を有したハニカム構造の整流部材５７が設けられている。整流部材５７は、孔５７ａの軸線５７ｂが、基台２０の開口部２７に向くよう形成されている。
【００２２】
冷却コイル２２のファン２２ｆを作動させると、開口部２７から外部の空気が空間２６に導入される。導入された空気は、冷凍機２１で冷却された冷媒により冷却される。冷却された空気は、冷却コイル２２のファン２２ｆにより、開口部２９，２９、二枚一対の壁板３１，３１間の空間３２、下部プレート５１と上部プレート５２との間の空間５４を経て、整流部材５７から下方に吹き出され、各棚板４０上の商品を冷却する。また、整流部材５７から吹き出された空気の一部は、開口部２７にそのまま流れこみ、いわゆるエアカーテンとして機能する。
【００２３】
さて、天板５３において、背面壁３０の上端部から前方に離間した側の前端部には、フード部（フロントカバー部）５８が設けられている。
このフード部５８は、天板（天面）５３側から、天板５３から離間した側の前方に向けて、その高さが漸次低くなるよう形成されている。
フード部５８の前端部５８ａには、前端部５８ａから後方の背面壁３０側に向けて斜め下方に延びる端部壁５８ｂが連続して形成されている。この端部壁５８ｂの下端部は、照明装置本体６１よりも下方に位置する。
さらに、端部壁５８ｂの下端部には、後方の背面壁３０側に向けて漸次高くなるよう、斜め上方に向けて折り返された折り返し部（カバー部、ツバ部）５９が連続して形成されている。
【００２４】
キャノピー部５０の前縁部に位置するフード部５８には、棚板４０に向けて光を照らす照明装置（照明部）６０Ａが備えられている。すなわち、照明装置６０Ａは、キャノピー部５０の前縁部に設けられている。
照明装置６０Ａは、照明装置本体６１と、バックプレート６２と、を有する。
【００２５】
照明装置本体６１は、図２の紙面に直交する方向、つまりキャノピー部５０の前縁部に沿って連続して延びる棒状（線状）で、その一面が発光面６１ａとされている。発光面６１ａは、照明装置本体６１の長手方向に複数のＬＥＤ（Light Emitting Diode）発光素子が所定間隔で並んで設けられることで形成されている。
【００２６】
バックプレート６２は、整流部材５７とフード部５８との間に設けられており、整流部材５７の下端部から鉛直上方に立ち上がる鉛直壁６２ａと、鉛直壁６２ａの上端部から前方のフード部５８側に向けて水平方向に延びる水平壁６２ｂと、水平壁６２ｂの前方の端部からフード部５８の下端部、より具体的にはフード部５８の端部壁５８ｂと折り返し部５９との境界部に向けて鉛直下方に向けて延びる垂下壁６２ｃとを有している。このバックプレート６２の鉛直壁６２ａ、水平壁６２ｂ、垂下壁６２ｃは、例えば白色に塗装されており、照明装置本体６１からの光を効率良く反射するようになっている。
【００２７】
本実施形態において、照明装置本体６１は、バックプレート６２の水平壁６２ｂの下面に固定されている。さらに、この照明装置本体６１の下方には折り返し部５９が設けられ、この折り返し部５９により、照明装置本体６１の一部の鉛直下方が覆われている。具体的には、照明装置本体６１は、前後方向において、その一部の、前方側のほぼ半分の部分６１ｄが折り返し部５９によって鉛直下方が覆われ、その残部の、後方側の残る半分程度の部分６１ｅが、折り返し部５９よりも後方に露出するよう設けられている。
【００２８】
また、図３に示すように、折り返し部５９には、照明装置本体６１が連続する方向（キャノピー部５０の前縁部に沿った方向：図２においてはその紙面に直交する方向）に、複数の長孔状のスリット（開口部）６４が所定間隔を空けて配列されている。各スリット６４は、キャノピー部５０の前縁部に沿った方向に長軸方向を有している。
【００２９】
このような構成の照明装置６０Ａにおいては、照明装置本体６１は、その一部（部分６１ｄ）の鉛直下方のみが、折り返し部５９によって覆われているので、発光面６１ａから発する光は、スリット６４を通って下方の棚板４０上の商品に照射される。
また、照明装置本体６１は、その残部（部分６１ｅ）が、折り返し部５９の鉛直上方位置よりも後方に露出するよう設けられているので、発光面６１ａから発する光は、折り返し部５９に遮られることなく、下方の棚板４０上の商品に直接照射される。
【００３０】
上述したような構成によれば、照明装置６０Ａの照明装置本体６１の一部の鉛直下方が、フード部５８に形成された折り返し部５９によって覆われているので、客の視界に照明装置本体６１自体が入りにくくなる。また、照明装置本体６１からの光がショーケース１０よりも前方に漏れてしまうのを防ぐこともできる。そして、照明装置本体６１からの光は、折り返し部５９のスリット６４を通して棚板４０に向けて照射される。これにより、店舗の雰囲気を損なったり、本来、棚板４０上の商品に光を当てて、客の商品購買意欲を高めようという照明効果が損なわれるのを防ぐことができる。
【００３１】
さらに、折り返し部５９は、端部壁５８ｂの下端部から後方の斜め上方に向けて折り返されて形成されているため、照明装置本体６１からの光が通るスリット６４も客の視界に入りにくく、この点においても上記効果は一層顕著なものとなる。
【００３２】
加えて、照明装置本体６１の残部（部分６１ｅ）からの光は、下方の棚板４０上の商品に直接照射されるため、スリット６４を通して照射される光と合わせて、商品を効果的に浮きだたせるよう照明することができる。
【００３３】
（第２の実施形態）
次に、本発明に係るショーケースの第２の実施形態について説明する。
ここで、以下に示す第２の実施形態は、照明装置（照明部）６０Ｂの構成が上記第１の実施形態と異なるのみであり、他の、ショーケース１０全体の構成は上記第１の実施形態と同様である。そこで、上記第１の実施形態と共通する構成については同符号を付し、その説明を省略する。
図４に示すように、本実施形態に係る照明装置６０Ｂは、照明装置本体６１が、バックプレート６２の垂下壁６２ｃに固定され、その発光面６１ａが鉛直壁６２ａ側に対向するよう設けられている。この照明装置本体６１は、その全体が、折り返し部５９の上方に位置するよう設けられている。
【００３４】
このような構成の照明装置６０Ｂにおいては、照明装置本体６１は、その全部が、折り返し部５９により鉛直下方が覆われるよう設けられ、発光面６１ａから照射された光は、スリット６４を通って下方の棚板４０上の商品に照射される。
【００３５】
上述したような構成によれば、照明装置本体６１の全体の鉛直下方が、フード部５８に形成された折り返し部５９により覆われているので、客の視界に照明装置本体６１自体が入りにくくなる。これにより、店舗の雰囲気を損なったり、本来、棚板４０上の商品に光を当てて、客の商品購買意欲を高めようという照明効果が損なわれるのを防ぐことができる。
【００３６】
（第３の実施形態）
次に、本発明に係るショーケースの第３の実施形態について説明する。
ここで、以下に示す第３の実施形態は、照明装置（照明部）６０Ｃの構成が上記第１の実施形態と異なるのみであり、他の、ショーケース１０全体の構成は上記第１の実施形態と同様である。そこで、上記第１の実施形態と共通する構成については同符号を付し、その説明を省略する。
図５に示すように、本実施形態に係る照明装置６０Ｃは、照明装置本体６１が、図示しないブラケット等を介して、少なくとも折り返し部５９の上方に、発光面６１ａが鉛直下方を向くよう固定されている。より具体的には、照明装置本体６１は、折り返し部５９と、フード部５８の端部壁５８ｂとの上方に跨るように設けられている。
【００３７】
このような構成の照明装置６０Ｃにおいては、照明装置本体６１は、その全部の鉛直下方が、フード部５８の端部壁５８ｂと折り返し部５９とによって覆われ、発光面６１ａから照射された光は、スリット６４を通って下方の棚板４０上の商品に照射される。
【００３８】
上述したような構成によれば、照明装置６０Ｃの照明装置本体６１の全体が、フード部５８に形成された折り返し部５９によって鉛直下方が覆われているので、客の視界に照明装置本体６１自体が入りにくくなる。これにより、店舗の雰囲気を損なったり、本来、棚板４０上の商品に光を当てて、客の商品購買意欲を高めようという照明効果が損なわれるのを防ぐことができる。
【００３９】
（その他の実施形態）
なお、本発明のショーケースは、図面を参照して説明した上述の各実施形態に限定されるものではなく、その技術的範囲において様々な変形例が考えられる。
例えば、ショーケース１０において、照明装置６０Ａ，６０Ｂ，６０Ｃ以外の構成については何ら限定するものではなく、他のいかなる構成としても良い。また、棚板４０は、背面壁３０の両面側に設けるようにしたが、棚板４０を、背面壁３０の一面側から他面側に略Ｕ字状に連続させるようにしても良い。その場合、照明装置６０Ａ、６０Ｂ、６０Ｃやキャノピー部５０も、同様に平面視略Ｕ字状に設けることとなる。
また、上記各実施形態では、開口部として複数のスリット６４を所定間隔を空けて配列する構成としたが、その形状や設置間隔については何ら限定するものではない。また、スリット６４を、照明装置本体６１の長手方向に連続する一文字状とすることも可能である。
さらに、折り返し部５９は、端部壁５８ｂの下端部に、後方の背面壁３０側に向けて漸次高くなるよう、斜め上方に向けて折り返して形成したが、端部壁５８ｂの下端部から後方の背面壁３０に向けて、水平方向、または斜め下方に向けて形成しても良い。
加えて、照明装置本体６１は、キャノピー部５０の前縁部に沿って連続して延びる棒状（線状）としたが、これに限るものではなく、キャノピー部５０の前縁部に沿って、照明装置本体６１を複数個並べて設けても良い。
これ以外にも、本発明の主旨を逸脱しない限り、上記実施の形態で挙げた構成を取捨選択したり、他の構成に適宜変更することが可能である。
【符号の説明】
【００４０】
１０  ショーケース
２０  基台（基部）
２１  冷凍機
２２  冷却コイル
２３  ベース板
２４  側壁部
２５  隔壁
２６  空間
２７  開口部
２８  立ち上がり壁
２９  開口部
３０  背面壁
３１  壁板
３２  空間
３３  棚板係止孔
４０  棚板
４１  支持ブラケット
４２  棚板本体
５０  キャノピー部
５１  下部プレート
５２  上部プレート
５３  天板
５４  空間
５５  垂下壁
５６  空隙
５７  整流部材
５８  フード部（フロントカバー部）
５８ａ      前端部
５８ｂ      端部壁
５９  折り返し部（カバー部、ツバ部）
６０Ａ，６０Ｂ，６０Ｃ   照明装置（照明部）
６１  照明装置本体
６１ａ      発光面
６１ｄ      部分
６１ｅ      部分
６２  バックプレート
６２ａ      鉛直壁
６２ｂ      水平壁
６２ｃ      垂下壁
６４  スリット（開口部）
【図１】
2014000206.tif 000003
【図２】
2014000206.tif 000004
【図３】
2014000206.tif 000005
【図４】
2014000206.tif 000006
【図５】
2014000206.tif 000007